(57)【要約】【課題】弾塑性材料からなる振動エネルギー吸収部を備えてなる免震装置或いは制振装置において、当該振動エネルギー吸収部の亀裂の発生を未然に抑制するのみならず、塑性変形の繰り返し等によって当該振動エネルギー吸収部に微細な亀裂が発生した場合であっても、これを有効に修復して、更に長期に亘る当該装置の使用の継続を可能とし、これにより、長期耐久性に秀でた免震装置等を提供すること。【解決手段】鉛、錫、鋼、又は、少なくともこれらのうちのいずれかの金属を含有してなる合金である弾塑性材料によって、ダンパー本体１０や、金属プラグ５１等の振動エネルギー吸収部が形成されている免震装置等であって、振動エネルギー吸収部の表面の一部又は全部にポリウレア樹脂をベース樹脂とする被膜部２０が形成されている免震装置等とする。【選択図】図１
2019108914.tif 000002
【特許請求の範囲】
【請求項１】
鉛、錫、鋼、又は、少なくともこれらのうちのいずれかの金属を含有してなる合金である弾塑性材料によって、振動エネルギー吸収部が形成されている免震装置又は制振装置であって、
前記振動エネルギー吸収部の表面の一部又は全部にポリウレア樹脂をベース樹脂とする被膜部が形成されている免震装置又は制振装置。
【請求項２】
構造物の上部構造体と下部構造体の間に設置され、振動エネルギーを吸収する免震装置であって、
前記上部構造体に接続される上部フランジと、前記下部構造体に接続される下部フランジと、前記上部フランジと前記下部フランジとの間に配置されてこれらを連結するダンパーを備え、
前記振動エネルギー吸収部は、前記ダンパーにより形成されている、請求項１に記載の免震装置。
【請求項３】
前記ダンパーが、前記上部フランジから垂直方向の下方に延びる上部フランジ近傍部と、前記下部フランジから垂直方向の上方に延びる下部フランジ近傍部と、前記上部フランジと前記下部フランジとの略中間位置において、前記上部フランジ近傍部と前記下部フランジ近傍部との中心を通る中心軸より水平方向に突出して屈折する屈折部と、前記中心軸に対し傾斜して、前記上部フランジ近傍部から前記屈折部に連なる上部傾斜部と、前記中心軸に対し傾斜して、前記下部フランジ近傍部から前記屈折部に連なる下部傾斜部と、から形成されている、請求項２に記載の免震装置。
【請求項４】
前記被膜部が、前記上部フランジ近傍部、前記下部フランジ近傍部、前記屈折部、前記上部傾斜部の前記屈折部近傍及び前記下部傾斜部の前記屈折部近傍のみに形成されている、請求項３に記載の免震装置。
【請求項５】
前記振動エネルギー吸収部が、円柱形状の金属プラグにより形成されていて、該金属プラグが、弾性材料層と剛性材料層とが交互に積層されてなる中空円筒状の弾性体内に配置されている、請求項１に記載の免震装置。
【請求項６】
鉛、錫、鋼、又は、これらを含有してなる合金である弾塑性材料からなる振動エネルギー吸収部が形成されている免震装置又は制振装置の修理方法であって、
前記振動エネルギー吸収部に発生した亀裂を取り囲む部分に、ポリウレア樹脂をベース樹脂とするコーティング材を塗布して、該亀裂を被覆する被膜部を形成する、免震装置又は制振装置の修理方法。
【発明の詳細な説明】
【技術分野】
【０００１】
本発明は、免震装置、及び、その修理方法に関する。
【背景技術】
【０００２】
従来、多くの建造物において、その上部構造体と基礎側の下部構造体との間に、地震等によるエネルギーを吸収する免震構造が配置されている。一般的な免震構造は、免震アイソレータと免震ダンパーにより構成されており、地震時に地盤から伝わる振動に対して免震アイソレータによりその周期を長くし、且つ、免震ダンパーによりその地震エネルギーを吸収する。
【０００３】
免震構造を構成する各種の免震装置の具体例として、例えば、特許文献１には、構造物の上部構造体と下部構造体の間に設置され、地震時には、弾塑性材料で形成された振動エネルギー吸収部（免震ダンパー本体）が塑性変形することで振動エネルギーを吸収する免震装置（免震ダンパー）が開発されている（特許文献１参照）。
【０００４】
又、免震装置の他の具体例として、積層ゴム体の内部の中空部分に柱状の鉛プラグが配置されている免震装置（鉛プラグ入り積層ゴム型免震支承）も知られている（特許文献２参照）。この鉛プラグ入り積層ゴム型免震支承は、建築物等を構成する上下二つの構造体の間に配置され、その内部に配置される鉛プラグが塑性変形を受けることにより振動エネルギーを吸収し、尚且つ、上記の積層ゴム体が水平方向に大きく変形して地震入力加速度を低減させて、地震エネルギーの吸収性能を発揮する。
【０００５】
これらの免震装置は、いずれも、弾塑性材料で形成された振動エネルギー吸収部が地震エネルギーを吸収することにより、建造物の損傷を防止する機能を発揮する。しかしながら、振動エネルギー吸収部の塑性変形が一定回数以上繰り返された場合には、その表面に金属疲労による亀裂が発生してしまう場合がある。
【０００６】
そのような亀裂を放置しておけば、いずれは免震ダンパー本体等の振動エネルギー吸収部の破断に至る場合もあり、そうなると、最早、当該免震装置は振動エネルギーを吸収することができず、地震時において、所定の免震性能を発揮できなくなる。これを未然に防ぐ手段として、ワセリンやグリース等を免震ダンパー本体の表面に塗布して補強用の被膜部を形成し、これにより、上記の亀裂の発生を予め抑制する保守方法も提案されている（特許文献１参照）。
【０００７】
しかしながら、上記のような各種の免震装置において、これらが設置される建造物の耐用年数と同等の長期に亘って、その振動エネルギー吸収部の亀裂の発生を完全に防止することは困難であった。又、現状においては、亀裂が発生してしまったエネルギー吸収部を安全に継続使用することができるまでに修復する有効な修理方法は存在しなかった。よって、弾塑性材料からなる振動エネルギー吸収部を有する免振装置は、上記のような亀裂が僅かでも生じた時点、或いは、そのような亀裂が生じる可能性が一定程度以上に達するだけの変形履歴を経た時点で、その製品寿命を迎えたものとして、装置全体が交換されているのが実態であった。
【先行技術文献】
【特許文献】
【０００８】
【特許文献１】特開２０１４−１８４４号公報
【特許文献２】特開平９−１０５４４０号公報
【発明の概要】
【発明が解決しようとする課題】
【０００９】
本発明は、弾塑性材料からなる振動エネルギー吸収部を備えてなる免震装置或いは制振装置において、当該振動エネルギー吸収部の亀裂の発生を未然に抑制するのみならず、塑性変形の繰り返し等によって当該振動エネルギー吸収部に微細な亀裂が発生した場合であっても、これを有効に修復して、更に長期に亘る当該装置の使用の継続を可能とし、これにより、長期耐久性に秀でた免震装置等を提供することを目的とする。
【課題を解決するための手段】
【００１０】
本発明者らは、鋭意検討を行った結果、弾塑性材料によって振動エネルギー吸収部が形成されている免震装置等において、当該振動エネルギー吸収部の表面に、ポリウレア樹脂からなる被膜部を形成することにより、上記課題を解決することができることを見出し、本発明を完成させるに至った。より具体的には、本発明は以下のものを提供する。
【００１１】
（１）  鉛、錫、鋼、又は、少なくともこれらのうちのいずれかの金属を含有してなる合金である弾塑性材料によって、振動エネルギー吸収部が形成されている免震装置又は制振装置であって、前記振動エネルギー吸収部の表面の一部又は全部にポリウレア樹脂をベース樹脂とする被膜部が形成されている免震装置又は制振装置。
【００１２】
（１）の発明によれば、弾塑性材料からなる振動エネルギー吸収部を備える免震装置等において、その振動エネルギー吸収部の表面にポリウレア樹脂からなる被膜部を形成した。これによれば、振動エネルギー吸収部における亀裂の発生を抑制することができるのみならず、更には、微細な亀裂が発生した場合において、これを有効に修復して、免震装置の即時の交換を回避することができる。このようにして、免震装置の使用耐用年数を大幅に延長させることができる。
【００１３】
（２）  構造物の上部構造体と下部構造体の間に設置され、振動エネルギーを吸収する免震装置であって、前記上部構造体に接続される上部フランジと、前記下部構造体に接続される下部フランジと、前記上部フランジと前記下部フランジとの間に配置されてこれらを連結するダンパー本体を備え、前記振動エネルギー吸収部は、前記ダンパー本体により形成されている、（１）に記載の免震装置。
【００１４】
（２）の発明によれば、構造物の上部構造体と下部構造体の間に設置され、これらの間をダンパー本体で連結するタイプの免震装置（免震ダンパー）全般において、（１）の発明の効果を享受して、それらの免震装置の使用耐用年数を大幅に延長させることができる。
【００１５】
（３）  前記ダンパー本体が、前記上部フランジから垂直方向の下方に延びる上部フランジ近傍部と、前記下部フランジから垂直方向の上方に延びる下部フランジ近傍部と、前記上部フランジと前記下部フランジとの略中間位置において、前記上部フランジ近傍部と前記下部フランジ近傍部との中心を通る中心軸より水平方向に突出して屈折する屈折部と、前記中心軸に対し傾斜して、前記上部フランジ近傍部から前記屈折部に連なる上部傾斜部と、前記中心軸に対し傾斜して、前記下部フランジ近傍部から前記屈折部に連なる下部傾斜部と、から形成されている、（２）に記載の免震装置。
【００１６】
（３）の発明によれば、図１に示すような形状のダンパー本体を備える免震装置の使用耐用年数を大幅に延長させることができる。
【００１７】
（４）  前記被膜部が、前記上部フランジ近傍部、前記下部フランジ近傍部、前記屈折部、前記上部傾斜部の前記屈折部近傍及び前記下部傾斜部の前記屈折部近傍のみに形成されている、（３）に記載の免震装置。
【００１８】
（４）の発明によれば、（３）に記載の免震装置において、特に亀裂が生じやすい部分にのみ、ポリウレア樹脂からなる被膜部を形成することとした。これにより、最小限の材量コストと手間で、効率良く（３）の発明の上記効果を享受することができる。
【００１９】
（５）  前記振動エネルギー吸収部が、円柱形状の金属プラグにより形成されていて、該金属プラグが、弾性材料層と剛性材料層とが交互に積層されてなる中空円筒状の弾性体内に配置されている、（１）に記載の免震装置。
【００２０】
（５）の発明によれば、図３に示すような、積層ゴム体の内部の中空部分に柱状の鉛プラグが配置されている免震装置（金属プラグ入り積層ゴム型免震支承）の使用耐用年数を大幅に延長させることができる。
【００２１】
（６）  鉛、錫、鋼、又は、これらを含有してなる合金である弾塑性材料からなる振動エネルギー吸収部が形成されている免震装置又は制振装置の修理方法であって、前記振動エネルギー吸収部に発生した亀裂を取り囲む部分にポリウレア樹脂をベース樹脂とするコーティング材を塗布して、該亀裂を被覆する被膜部を形成する、免震装置又は制振装置の修理方法。
【００２２】
（６）の発明によれば、弾塑性材料から振動エネルギー吸収部を備える免震装置等において、当該振動エネルギー吸収部に、塑性変形の繰り返し等による微細な亀裂が発生した場合に、これを修復して、更に長期に亘って当該装置の使用を継続することができる。
【発明の効果】
【００２３】
本発明によれば、弾塑性材料からなる振動エネルギー吸収部を備える免震装置或いは制振装置において、当該振動エネルギー吸収部の亀裂の発生を未然に抑制するのみならず、塑性変形の繰り返し等によって当該振動エネルギー吸収部に微細な亀裂が発生した場合であっても、これを有効に修復して、更に長期に亘る当該装置の使用の継続を可能とし、これにより、長期耐久性に秀でた免震装置等を提供することができる。
【図面の簡単な説明】
【００２４】
【図１】本発明の免震装置の好ましい実施形態の一つである免震ダンパーの斜視図である。
【図２】（ａ）は、図１の免震ダンパーを図１中右側から視た図であり、（ｂ）は、図１の免震ダンパーを図１中後ろ側から視た図である。
【図３】本発明の免震装置の好ましい他の実施形態である金属プラグ入り積層ゴム型免震支承の斜視図である。
【図４】図３の金属プラグ入り積層ゴム型免震支承の内部構造の説明に供する模式図である。
【図５】本発明の免震装置の長期耐久性を確認する試験結果のデータをグラフ化したものであり、振動による塑性変形の繰り返し回数と、振動１サイクル当たりの吸収エネルギー量の相関を示すグラフ図である。
【図６】本発明の免震装置の長期耐久性を確認する試験結果のデータをグラフ化したものであり、振動による累積エネルギー量と、振動１サイクル当たりの吸収エネルギー量の相関を示すグラフ図である。
【発明を実施するための形態】
【００２５】
以下、本発明の好ましい実施態様について説明するが、本発明はこれに限定されない。
【００２６】
＜免震装置又は制振装置＞
本発明は、弾塑性材料からなるエネルギー吸収部を備える免震装置又は制震装置全般に対して好ましく適用することができる。弾塑性材料からなるエネルギー吸収部とは、地震時の大きな振幅の振動に対して塑性変形することにより振動エネルギーを吸収する作用効果を奏する部材のことを言う。具体的には、上述の免震ダンパーにおける免震ダンパー本体、或いは、金属プラグ入り積層ゴム型免震支承における金属プラグ等がそれにあたる。
【００２７】
＜免震ダンパー＞
免震ダンパー１は、構造物の上部構造体と下部構造体の間に設置され振動エネルギーを吸収する。図１及び図２に示す通り、免震ダンパー１は、上部構造体に接続される上部フランジ２と、下部構造体に接続される下部フランジ３と、上部フランジ２と下部フランジ３との間に配置され、これらを連結するダンパー本体１０により構成される。免震ダンパー１においては、以下に詳細を説明する鉛製のダンパー本体１０が、振動エネルギー吸収部として作用する。そして、免震ダンパー１においては、このダンパー本体１０の表面の一部又は全部に、主としてポリウレア樹脂からなる被膜部２０が形成されている。
【００２８】
免震ダンパー１は、上部フランジ２が上部構造体に接続され、下部フランジ３が下部構造体に接続されている。免震ダンパー１は、地震に起因するような振幅が大きい振動に対しては、振動エネルギー吸収部であるダンパー本体１０が、塑性変形して振動エネルギーを吸収する。
【００２９】
尚、免震ダンパー１は、中小地震、風、交通振動、地盤の常時微動等に対する構造物の応答に起因する微少振幅の振動が構造物に発生した場合、上部フランジ２が上部構造体の振動に追従し、下部フランジ３が下部構造体の振動に追従する。そして、免震ダンパー１は、上部フランジ２と下部フランジ３との間でこれらを連結するダンパー本体１０が弾性変形して振動エネルギーを吸収することで、構造物の振動を収束させることもできる。
【００３０】
ここで、従来の免震ダンパーにおいては、例えば、上記の塑性変形が多数回繰り返された場合、特に、上部フランジ近傍部１５、下部フランジ近傍部１１、屈折部１３、上部傾斜部１４の屈折部１３近傍及び下部傾斜部１２の屈折部１３近傍に、金属疲労による亀裂が発生しやすかった。更に、亀裂が発生した回数の３０〜４０倍の回数の振動が繰り返された場合、ダンパー本体１０が破断するおそれがあった。
【００３１】
これに対して、本発明の免震ダンパー１においては、以下に説明する通り、振動エネルギー吸収部であるダンパー本体１０の表面にポリウレア樹脂からなる被膜部２０が形成されていることにより、ダンパー本体１０における上記のような亀裂の発生が抑制されている。そして、更には、仮に微細な亀裂が発生した場合においても、これを有効に修復して、免震ダンパー１の即時の交換を回避することができる。被膜部２０が形成されているダンパー本体１０の詳細については改めて後述する。
【００３２】
上部フランジ２及び下部フランジ３は、平面視正方形の板状体の鋼材（例えば、ＳＳ４００）で形成されている。又、上部フランジ２及び下部フランジ３は、一例として、平面視で１辺７５０ｍｍの正方形、厚さ３８ｍｍに形成されているものを挙げることができる。尚、上部フランジ及び下部フランジは、要求される免震性能に応じて、任意の大きさ及び厚さとすることができる。
【００３３】
上部フランジ２には、図１中における上下方向に貫通する複数の貫通孔２ａが形成され、下部フランジ３には図１中上下方向に貫通する複数の貫通孔３ａが形成されている。上部フランジ２は、貫通孔２ａに挿通された固定ボルト（例えば、Ｍ３０）により上部構造体に固定される。又、下部フランジ３は、貫通孔３ａに挿通された固定ボルト（例えば、Ｍ３０）により下部構造体に固定される。そして、上部フランジ２は、下部フランジ３を、例えば、垂直方向に８８６ｍｍ移動した位置に配置される。そして、上部フランジ２の下面と下部フランジ３の上面の空間に、両フランジに対して設置する態様で、ダンパー本体１０が配置される。
【００３４】
［ダンパー本体］
ダンパー本体１０は、断面円形状の柱状体が、上部フランジ２と下部フランジ３との間の空間における略中間位置において、図１中における前方向に曲げられた形状に形成されている。具体的には、ダンパー本体１０は、下方から上方に向かって順に、下部フランジ近傍部１１、下部傾斜部１２、屈折部１３、上部傾斜部１４及び上部フランジ近傍部１５が連なって形成されている。
【００３５】
又、ダンパー本体１０は、通常、弾塑性材料として鉛、又は鉛を含有する合金を用いて形成される。これらのうちでも純度９９．９９％以上鉛であることが好ましい。
【００３６】
尚、ダンパー本体１０は、要求される免震性能や構造物の設置スペースに応じて、任意の高さとすることができる。又、ダンパー本体１０は、以下に説明する第１実施形態における各部の断面の直径も、要求される免震性能や構造物の設置スペースに応じて、任意の寸法とすることができる。
【００３７】
下部フランジ近傍部１１は、上部フランジ近傍部１５と下部フランジ近傍部１１との中心を通る中心軸Ｃ（図２参照）を中心として配置され、下部フランジ３とホモゲン溶着により固着され、下部フランジ３から垂直方向の上方に延びている。又、下部フランジ近傍部１１は、下部フランジ３との固着部分は、下部傾斜部１２に連なる部分より断面の直径が広く形成されている。
【００３８】
下部傾斜部１２は、中心軸Ｃ（図２参照）に対し傾斜して、下部フランジ近傍部１１から孤を描きつつ屈折部１３に連なる。屈折部１３は、中心軸Ｃ（図２参照）より水平方向に突出し、略くの字形状に屈折する。上部傾斜部１４は、中心軸Ｃ（図２参照）に対し傾斜して、上部フランジ近傍部１５から孤を描きつつ屈折部１３に連なる。
【００３９】
上部フランジ近傍部１５は、中心軸Ｃ（図２参照）を中心として配置され、上部フランジ２とホモゲン溶着により固着され、上部フランジ２から垂直方向の下方に延びている。又、上部フランジ近傍部１５は、上部フランジ２との固着部分は、上部傾斜部１４に連なる部分より断面の直径が広く形成されている。
【００４０】
［被膜部］
被膜部２０を形成するポリウレア樹脂とは、ポリイソシアネート化合物と活性水素を持つアミン化合物（特殊混合レジン）を衝突混合させて化学反応させることにより得られる、ウレア結合を有する合成樹脂である。このポリウレア樹脂は、超速硬化、強靱な物性（高い引裂強度・引張強度・伸び性・追従性、耐候性、耐腐食性等）が特徴であり、船舶やトラック、建築物の床や天井などのコーティング材や、ペンタゴンの防爆対策として用いられている。尚、被膜部２０を形成する樹脂は、ポリウレア樹脂をベース樹脂とするものであればよく、他の添加樹脂やフィラー等が、本発明の作用効果を阻害しない範囲で適量添加されているものであってもよい。本明細書におけるポリウレア樹脂とは、このように主としてポリウレア樹脂からなる樹脂材料全般を含むものとする。
【００４１】
このようなポリウレア樹脂からなる被膜部２０の厚さは２ｍｍ以上であることが好ましい。この被膜部は、引張強度１０Ｎ／ｍｍ２以上、伸び能力２００％以上の物性を有する被膜とすることができる。そして、このような被膜部２０を、ダンパー本体１０の表面の全面又は、上記のような損傷部分に形成することにより、地震による変形が繰り返された場合においてもダンパー本体１０に亀裂や破断が発生することを抑制できる。
【００４２】
被膜部２０は、ダンパー本体１０において、表面の全面に形成されることが好ましいが、特に金属疲労による亀裂や破断が発生しやすい部分に形成してもよい。具体的には、図１及び図２において示す通り、下部フランジ近傍部１１から下部傾斜部１２に連なる部分の全周、屈折部１３、下部傾斜部１２の外周と上部傾斜部１４の外周において屈折部１３近傍、上部フランジ近傍部１５において、上部傾斜部１４に連なる部分の全周等に形成することによっても、本発明の効果を享受することができる。
【００４３】
＜金属プラグ入り積層ゴム型免震支承＞
図３は、本発明の免震装置の好ましい他の実施形態である金属プラグ入り積層ゴム型免震支承５の斜視図である。又、図４は、同じく金属プラグ入り積層ゴム型免震支承５の内部構造の説明に供する模式図である。
【００４４】
金属プラグ入り積層ゴム型免震支承５は、建造物の下部にある構造体とそれよりも上部にある構造体との間に設置され、振動エネルギーを吸収する。図３及び図４に示す通り、金属プラグ入り積層ゴム型免震支承５は、複数の弾性材料層と剛性材料層とが交互に積層されてなる弾性体５１１と、柱状の金属プラグ５１と、を備え、金属プラグ５１は、弾性体５１１の内部に鉛直方向に形成された筒状の中空部内に、中空部の内面に隙間なく拘束される態様で配置されている。又、金属プラグ入り積層ゴム型免震支承５は、金属プラグ５１の下面及び上面にそれぞれ当接して弾性体５１１の下面及び上面のそれぞれにボルト等により取り付けられた上部フランジ５１２及び下部フランジ５１３を備える。例えば、下部フランジ５１３の側が基礎等の一方の建造物に固定されて、上部フランジ５１２の側に建築物等の他方の建造物が載置されて、上部フランジ５１２を介して建築物等から鉛直荷重を受けるように設置されて用いられる。
【００４５】
このような全体構成を備える金属プラグ入り積層ゴム型免震支承５においては、弾性体５１１の中空部に配された金属プラグ５１が、弾性体５１１に隙間なく拘束されている態様とすることが必要である。又、金属プラグ入り積層ゴム型免震支承５においては、この金属プラグ５１が、振動エネルギー吸収部として作用する。そして、金属プラグ入り積層ゴム型免震支承５においては、この金属プラグ５１の表面の一部又は全部に、上記のポリウレア樹脂からなる被膜部２０が形成されている。尚、図４においては、金属プラグ５１の側面の全体に被膜部２０が形成されている例が図示されている。このように金属プラグ５１の表面に被膜部２０を形成することにより、上述のダンパー本体における場合と同様に、地震による変形が繰り返された場合においても、金属プラグ５１に亀裂や破断が発生することを抑制できる。
【００４６】
金属プラグ入り積層ゴム型免震支承５においては、金属プラグ５１は、通常、錫又は錫を含む合金で形成されている。又、金属プラグ５１の形状は、図３及び図４に示す通り、円柱形状であることが好ましいが、他の形状のもの、例えば楕円若しくは方形体のものであってもよい。又、金属プラグ５１は、弾性体５１１に対して一つでもよいが、これに代えて、一つの弾性体５１１に複数の中空部を形成し、この複数の中空部にそれぞれ金属プラグ５１を配置して金属プラグ入り積層ゴム型免震支承５を構成してもよい。又、金属プラグ５１の高さは、３００ｍｍ以上６００ｍｍ以下程度であることが一般的であるが、要求される免震性能や建造物の設置スペースに応じて、任意の高さとすることができる。又、金属プラグ５１は、断面の直径も、弾性体５１１のサイズとの兼ね合いも含め、要求される免震性能や建造物の設置スペースに応じて、任意の寸法とすることができる。
【００４７】
弾性体５１１は、弾性材料からなる複数の弾性材料層と、剛性材料からなる剛性材料層とが交互に積層されてなる円柱又は角柱形状の弾性体である。弾性材料層の素材としては、天然ゴム、シリコンゴム、高減衰ゴム、ウレタンゴム又はクロロプレンゴム等を挙げることができるが、好ましくは天然ゴムである。弾性材料層の各層の厚みとしては、無負荷状態において１ｍｍ以上３０ｍｍ以下程度のものが好ましいが、これに限定されない。
【００４８】
剛性材料層の素材としては、鋼板、炭素繊維、ガラス繊維若しくはアラミド繊維等の繊維補強合成樹脂板又は繊維補強硬質ゴム板等を挙げることができ、その厚みは、各厚肉剛性板には１０ｍｍ以上５０ｍｍ以下程度、それ以外の各層には１ｍｍ以上６ｍｍ以下程度のものが好ましいが、これに限定されず、更にその枚数においても特に限定されない。又、上部フランジ５１２及び下部フランジ５１３についても、上記の鋼版等、剛性材料からなる板状の部材を適宜選択して用いることができる。
【００４９】
＜免震装置又は制振装置の修理方法。＞
本発明の免震装置又は制振装置の修理方法は、弾塑性材料からなるエネルギー吸収部を備える免震装置又は制震装置全般の修理に対して好ましく適用することができる。このような免震装置において、建造物への設置後に、例えばダンパー本体１０等のエネルギー吸収部に、上述のような亀裂が発生してしまった場合に、本方法を用いることにより、この亀裂を修復して、更に長期に亘って当該免震装置の使用を継続することができる。
【００５０】
この修理は、具体的には、上述の亀裂を取り囲む部分に、上述のポリウレア樹脂をベース樹脂とするコーティング材を塗布して、当該亀裂を被覆する被膜部を形成することにより行う。これにより、振動エネルギー吸収部に予め被膜部２０が形成されているか否かにかかわらず、振動エネルギー吸収部に、塑性変形の繰り返し等による微細な亀裂が発生した場合に、これを修復して、更に長期に亘って当該装置の使用を継続することができる。
【実施例】
【００５１】
以下、本発明について、実施例を挙げて詳細に説明する。試験例として、ポリウレア樹脂を塗布した鉛ダンパー（図１及び図２に示す形状の物）の縮小試験体の水平方向加力実験を実施した。鉛ダンパー縮小試験体の縮尺率は、直径１８０ｍｍの実大鉛ダンパーの１／４、直径４５ｍｍのものを使用した。この試験では、ポリウレア樹脂基剤として、米国ライノライニング社のエクストリームを使用した。表１に、使用したポリウレア樹脂基剤の成分と配合比を示す。又、表２に、上記ポリウレア樹脂基剤から生成されるポリウレア樹脂塗膜の性状を示す。
【００５２】
【表１】
2019108914.tif 000003
【００５３】
【表２】
2019108914.tif 000004
【００５４】
「鉛ダンパーの縮小試験体」としては、表３に示す各試験体を用いた。鉛ダンパーは純度９９．９９％以上の鉛（Ｐｂ）で形成した。鉛ダンパーの表面状態は、鉛表面に亀裂無し（実施例１及び比較例１）のものと、疲労による亀裂を模して、金ノコを用いて上側可撓部に７ｍｍの切込みを入れたもの（実施例２及び比較例２）の２水準とした。ポリウレア樹脂からなる塗布膜は、厚さは２．５ｍｍで試験体の全表面に形成したもの（実施例１及び実施例２）と、塗膜無し（比較例１及び比較例２）のものの２水準とした。尚、本試験体の切り込み深さ７ｍｍは、試験体の縮尺率が１／４であるので、実大では深さ２８ｍｍの亀裂に相当する。
【００５５】
【表３】
2019108914.tif 000005
【００５６】
＜基本特性試験＞
基本特性試験として、振幅±３７．５ｍｍ、加振周波数０．３３Ｈｚ、繰返し回数４サイクルとし、３サイクル目の降伏荷重を確認した。表４に実験結果を示す。表中の（）中の値は比較例１の試験体との比率を示す。実施例１の試験結果より、ポリウレア樹脂の塗布により、降伏荷重が約２割向上することが分かる。又、切り込みを７ｍｍ入れた比較例２の試験体の降伏荷重は切り込みのない比較例１の試験体に対し０．８５倍であるが、実施例２の試験体では同比が１．０倍となっており、ポリウレア樹脂の塗布により、降伏荷重が切り込みの無い比較例１の試験体と同等まで向上していることが分かる。
【００５７】
【表４】
2019108914.tif 000006
【００５８】
＜繰返し加力試験＞
更に、繰返し加力試験を行った。試験条件は、振幅±７５ｍｍ、加振周波数０．３３Ｈｚとし、破断時の繰返し回数、総エネルギー吸収量を確認した。試験体としては、上記の＜基本特性試験＞において用いた実施例１、２及び比較例１の試験体を用いた。試験結果として、繰返し回数と１サイクル吸収エネルギーの関係を図５に、累積吸収エネルギーと１サイクル吸収エネルギーの関係を図６に示す。実施例１の試験体１と比較例１の試験体とを比較すると、ポリウレア樹脂の塗布により、繰返し回数、累積吸収エネルギー共に約２倍に増加している実施例２の試験体の繰返し回数、累積吸収エネルギーは、比較例１の２倍を超えている。又、実施例１及び２の試験体は、いずれも、繰返しに伴う１サイクル吸収エネルギーの低下が、比較例１の試験体よりも緩やかである。
【００５９】
以上の試験結果より、本発明によれば、弾塑性材料からなる振動エネルギー吸収部を備える免震装置等において、当該振動エネルギー吸収部の亀裂の発生を未然に抑制するのみならず、塑性変形の繰り返し等によって当該振動エネルギー吸収部に微細な亀裂が発生した場合であっても、これを有効に修復して、更に長期に亘る当該装置の使用の継続を可能とし、これにより、長期耐久性に秀でた免震装置等を提供することができることが確認された。
【符号の説明】
【００６０】
１          免震ダンパー
２          上部フランジ
３          下部フランジ
１０        ダンパー本体（振動エネルギー吸収部）
１１        下部フランジ近傍部
１２        下部傾斜部
１３        屈折部
１４        上部傾斜部
１５        上部フランジ近傍部
２０        被膜部
５          金属プラグ入り積層ゴム型免震支承
５１        金属プラグ（振動エネルギー吸収部）
５１１      弾性体
５１２      上部フランジ
５１３      下部フランジ
【図１】
2019108914.tif 000007
【図２】
2019108914.tif 000008
【図３】
2019108914.tif 000009
【図４】
2019108914.tif 000010
【図５】
2019108914.tif 000011
【図６】
2019108914.tif 000012